(57)【要約】【課題】耳孔のマッサージが手軽に、かつ、経済的に行えるようにすること。【解決手段】マッサージ棒１と、このマッサージ棒１を保持して振動を与える振動発生機構２と、その振動発生機構２の電力供給源と、この電力供給源および振動発生機構２を擁したケース３とから成る耳孔のマッサージ器１０を提供する。このマッサージ器１０は一人で、片手で扱うことができ、製品購入時はその費用がかかるが、原価償却に至る使用を済ませれば、マッサージに要する費用は振動発生機構２に係る電気使用料のみとなり、耳孔のマッサージが手軽に行える手段となる。振動発生機構２に対するマッサージ棒１の保持形態を着脱自在とすれば、作用形状の異なる種々のマッサージ棒１を取り替えて、様々な感覚のマッサージを体感することができる。振動発生機構２の電力供給源を電池７にすれば、携帯も可能であり、場所を選ばずマッサージが可能となる。【選択図】図２
0003131261.tif 000002
【実用新案登録請求の範囲】
【請求項１】
耳孔の壁に接触してマッサージ作用を施すようになったマッサージ棒と、このマッサージ棒を保持して、マッサージ棒の軸周りの回動、または振動を起こす駆動機構と、この駆動機構の電力供給源と、この電力供給源および駆動機構を擁したケースとから成る耳孔のマッサージ器。
【請求項２】
上記駆動機構によるマッサージ棒の保持形態が着脱自在な仕様となっていることを特徴とする請求項１に記載の耳孔のマッサージ器。
【請求項３】
上記駆動機構によるマッサージ棒の回動または振動の度合いが調節可能となっていることを特徴とする請求項１または２に記載の耳孔のマッサージ器。
【請求項４】
上記電力供給源が電池であることを特徴とする請求項１から３のいずれかに記載の耳孔のマッサージ器。
【考案の詳細な説明】
【技術分野】
【０００１】
本考案は、耳孔（外耳道）をマッサージするためのマッサージ器に関する。
【背景技術】
【０００２】
最近の理髪店では、本来の作業である髪のカットやセットだけでなく、それらが終了すると、サービスの一環として、肩、首、頭などを軽く揉んでマッサージをするところがある。
【０００３】
このようなマッサージのサービスは以前にも行われており、その中で、風変わりなものとして、耳孔（外耳道）のマッサージがあった。これは、客が自身の耳孔に棒を挿入して、それを耳孔の壁に接触させておき、その状態で、理髪店員が客の耳元で音叉を打撃し、その際の音叉の振動によって生じる空気の振動を耳孔の中の棒に伝え、その棒の振動によって耳孔の壁に刺激を与える、といったものであった。
【０００４】
他方、最近ではこのような耳孔のマッサージとして、上記のような理髪店での音叉を使用したような古典的なものではないが、マッサージの専門店でも、イヤーエステとして、耳孔に綿棒や耳かきなどを挿入し、それを微妙に振動させて、耳孔の壁に刺激を与える処方が行われている。耳孔のマッサージは周辺の筋肉のこりや肩こりの解消、あるいは脳のリラクゼーションに繋がるので、その需要は大きい。
【考案の開示】
【考案が解決しようとする課題】
【０００５】
しかしながら、上記のような耳孔のマッサージは、前者の音叉を使用するようなやり方は一人では行えず、後者の場合は多くの費用がかかるので、いずれの場合も手軽なものではなく、手軽に行える耳孔のマッサージについての需要は多いはずである。
【０００６】
そこで、本願出願人は、耳孔のマッサージが手軽にできるようにしようとしたのである。
【課題を解決するための手段】
【０００７】
上記目的を達成するための本考案は耳孔のマッサージ器であって、その請求項１による考案は、耳孔の壁に接触してマッサージ作用を施すようになったマッサージ棒と、このマッサージ棒を保持して、マッサージ棒の軸周りの回動、または振動を起こす駆動機構と、この駆動機構の電力供給源と、この電力供給源および駆動機構を擁したケースとから成る構成を採用したのである。
【０００８】
このような構成によれば、このマッサージ器の使用は、ケースの部分を保持して、マッサージ棒の部分を耳孔の壁に接触させ、そのマッサージ棒を電気駆動で駆動することにより行い、そのような取り扱いは一人で、片手で行うことができる。
【０００９】
また、器具購入時はその費用がかかるが、原価償却に至る使用を済ませれば費用は電力供給源に係る電気代のみとなる。
【００１０】
また、請求項２の考案による構成は、上記請求項１における考案において、上記駆動機構によるマッサージ棒の保持形態が着脱自在な仕様となっている構成としたのである。
【００１１】
そのようにすれば、耳孔に触れる作用部の形態の異なったマッサージ棒を取り替えることができ、様々なマッサージ作用を体感することができる。
【００１２】
さらに、請求項３の考案による構成は、上記各構成において、上記駆動機構によるマッサージ棒の回動または振動の度合いが調節可能となっているようにしたのである。
【００１３】
そのようにすれば、使用者それぞれの感覚に応じたマッサージ作用を得ることができる。
【００１４】
さらにまた、請求項４の考案による構成は、上記各構成において、上記電力供給源が電池である構成にしたのである。
【００１５】
そのようにすれば、マッサージ器を携帯することができ、場所を選ばず耳孔をマッサージすることができる。
【考案の効果】
【００１６】
本考案は、上記のような構成のマッサージ器であるので、それによれば、耳孔のマッサージが一人でも（片手で、簡単に）手軽に行え、その費用も器具の購入時のものと、器具の原価償却が終われば駆動機構の電力供給源に係る電気代のみで済むので、経済的でもある。
【考案を実施するための最良の形態】
【００１７】
以下、本考案の実施の形態を、図面を参照して説明する。図１は、本実施形態のマッサージ器１０の外観斜視図であり、図２は、その二次元断面図である。
【００１８】
図１および図２に示すように、このマッサージ器１０は、耳孔の壁に接触してマッサージ作用を施すようになったマッサージ棒１と、このマッサージ棒１を保持して、マッサージ棒１に振動を与える駆動機構２（次に述べる振動発生機構２）とを備えており、その駆動機構２が樹脂で形成されたケース３に内蔵されたものである。
【００１９】
駆動機構２は、安価な「アンバランスマス型」の振動発生機構２であり、携帯電話の着信喚起機構としても利用されているものである。すなわち、モータ４の回転軸５に図示しない偏心錘を装着し、回転軸５の回転の際に発生する遠心力によって振動を発生させるものである。このモータ４の回転軸５の先端が、以下に説明するマッサージ棒１を接続する接続部６となっている。
【００２０】
そのマッサージ棒１は、作用部たる先端に「逆おわん形状」を有したゴムの丸棒であり、今述べた振動発生機構２を構成するモータ４の回転軸先端の接続部６に着脱自在に保持されている。その着脱自在の保持形態を図３に示す。
【００２１】
図に示すように、マッサージ棒１の接続部６に保持される側は、円柱の端面に「雫形状」の突起１ａが突設された形となっており、接続部６にはそのマッサージ棒１の突起１ａと略合同な寸法の雫形状の穴６ａが形成されている。
【００２２】
マッサージ棒１はゴムで形成されており、それと一体となった雫形状の突起１ａも弾性を有するので、金属で形成された接続部６の穴６ａに押し込むと、弾性変形して嵌入する。嵌入した後は、再び弾性変形によって穴６ａの内部で元の雫形状に戻るので、大きな力で引き抜かない限り、その雫形状の突起１ａによってマッサージ棒１の引き抜きが阻止され、振動発生機構２に保持される。
【００２３】
逆に、取り外す際は、その突起１ａの部分が損傷しないような程度の大きさの力を、マッサージ棒１の軸方向に沿って引き抜く向きに加えれば、弾性変形するので、引き抜くことができる。こうして、マッサージ棒１が振動発生機構２に着脱自在に保持されるようになっている。なお、このゴムのマッサージ棒１と、樹脂のケース３には抗菌処置が施されている。
【００２４】
また、本実施形態では、振動発生機構２のモータ４に変速機４ａも取り付けており、モータ４の回転数を調整して、振動の度合い、すなわち、マッサージ作用の度合いを調節することができるようになっている。
【００２５】
この振動発生機構２の電力供給源たる電池７がケース３内に内蔵されており、ケース３には、その電池７の取替えが可能なよう、着脱自在の蓋８が設けられている。
【００２６】
なお、１１は操作部であり、モータ駆動用のオン・オフスイッチ１２と、上記マッサージ作用の調節（変速機４ａの調節）のための調節ボタン１３が搭載されている。以上が、本実施形態のマッサージ器１０の構成であるが、次に、その作用について説明する。
【００２７】
操作部１１のオン・オフスイッチ１２をオンにしてモータ４を回転させると、前記した「アンバランスマス型」の振動発生機構２の振動発生原理により回転軸５に振動が発生し、その回転軸５の振動が、その回転軸５に着脱自在に接続されているマッサージ棒１に伝わり、マッサージ棒１が振動する。こうして、そのマッサージ棒１を耳孔に挿入して、逆おわん型の作用部を耳孔の壁に接触するようにすれば、マッサージ作用を体感することができる。
【００２８】
そして、先述したように、モータ４には変速機４ａも取り付けられているので、操作部１１の調節ボタン１３を押して振動の程度を調整することができ、耳孔の壁に対する作用部の接触具合、すなわち、マッサージ作用の程度を調節することができる。
【００２９】
また、本実施形態では、マッサージ棒１をモータ４に対して着脱自在としているので、そのマッサージ棒１が損傷した際に、それを交換する、といった意味合いだけでなく、作用形状の異なるマッサージ棒１を種々取り替えることにより、マッサージの作用状態を調節することもできる。
【００３０】
さらにまた、本実施形態ではマッサージ棒１の動作を振動型にしたが、駆動機構２を振動発生機構２とはせず、偏心錘を取り除いた通常のモータ４としてマッサージ棒１の動作をその軸の周りの回動動作のみとして、マッサージ棒１の作用形状を、例えば図４に示すような、丸棒の周面に半径方向の突起１４を多数設けた形のものなど、種々の形にして、それら突起１４がマッサージ棒１の回転によって耳孔の壁に次々と接触してマッサージ効果を得るような形にすることもできる。
【００３１】
また、本実施形態ではモータ４に対する電力供給を電池７で行って、マッサージ器１０を携帯型としたが、アダプタを介して、使用場所にある電源から行うようにすることもできる。
【産業上の利用可能性】
【００３２】
本考案は、耳孔のマッサージ器として広く手軽に使用される。
【図面の簡単な説明】
【００３３】
【図１】実施形態の外観斜視図である。
【図２】実施形態の二次元断面図である。
【図３】マッサージ棒の振動発生機構による保持形態を示したものである。
【図４】作用形状の異なるマッサージ棒の一例を示したものである。
【符号の説明】
【００３４】
１    マッサージ棒
１ａ    突起
２    振動発生機構（駆動機構）
３    ケース
４    モータ
４ａ    変速機
５    回転軸
６    接続部
６ａ    穴
７    電池
８    蓋
１０    マッサージ器
１１    操作部
１２    オン・オフスイッチ
１３    調節ボタン
１４    突起
【図１】
0003131261.tif 000003
【図２】
0003131261.tif 000004
【図３】
0003131261.tif 000005
【図４】
0003131261.tif 000006